(57)【要約】    【課題】  番組欄とは別に予約状況を示す欄を別途設けることなく、視聴者に予約状況を知らせることができる放送受信装置及びその制御方法、並びに制御プログラムを提供する。    【解決手段】  視聴者が電子番組表４０から番組の視聴予約を実行すると、ＣＰＵ２０９は、予約しようとしている番組の開始時間が、現在時刻より後であるときは、予約登録を行い、予約すべき番組の開始時間やチャンネル番号等の情報をＣＰＵ２０９内部の記憶領域に一時的に記憶すると共に、電子番組表４０の予約登録された番組（予約番組）に対し予約登録された事を示す記号を付与し、表示されている電子番組表４０において、予約番組がある時間帯を示すために、予約番組の時間帯を全てのチャンネルに渡って着色する。【選択図】    図５
2005117180.tif 000002
【特許請求の範囲】
【請求項１】
放送波を受信する受信手段と、前記受信した放送波から番組に関する情報を取得する取得手段と、前記取得した番組に関する情報に基づいて各チャンネルで放送される番組を示す電子番組表を生成する電子番組表生成手段と、前記生成された電子番組表を表示する表示手段と、前記表示された電子番組表により任意の番組を登録する番組登録手段と、前記電子番組表において前記登録された番組に対応する時間帯を標識する登録時間帯標識手段とを備えることを特徴とする放送受信装置。
【請求項２】
前記電子番組表において前記登録された番組を標識する登録番組標識手段を備えることを特徴とする請求項１記載の放送受信装置。
【請求項３】
前記電子番組表により前記各チャンネルのうちの１つのチャンネルの任意の時間帯を登録する時間帯登録手段とを備えることを特徴とする請求項１又は２記載の放送受信装置。
【請求項４】
前記電子番組表において前記登録されたチャンネルの前記登録された時間帯を示す領域を標識する領域標識手段を備えることを特徴とする請求項３記載の放送受信装置。
【請求項５】
前記選択された時間帯を調整する時間帯調整手段を備えることを特徴とする請求項３又は４記載の放送受信装置。
【請求項６】
放送波を受信する受信手段を有する放送受信装置の制御方法において、前記受信した放送波から番組に関する情報を取得する取得ステップと、前記取得した番組に関する情報に基づいて各チャンネルで放送される番組を示す電子番組表を生成する電子番組表生成ステプと、前記生成された電子番組表を表示し、前記表示された電子番組表により任意の番組を登録する番組登録ステップと、前記電子番組表において前記登録された番組に対応する時間帯を識別する登録時間識別ステップとを備えることを特徴とする放送受信装置の制御方法。
【請求項７】
前記電子番組表において前記登録された番組を識別する登録番組識別ステップを備えることを特徴とする請求項６記載の放送受信装置の制御方法。
【請求項８】
前記電子番組表により前記各チャンネルのうちの１つのチャンネルの任意の時間帯を登録する時間帯登録ステップとを備えることを特徴とする請求項６又は７記載の放送受信装置の制御方法。
【請求項９】
前記電子番組表において前記登録されたチャンネルの前記登録された時間帯を示す領域を識別する領域識別ステップを備えることを特徴とする請求項８記載の放送受信装置の制御方法。
【請求項１０】
前記選択された時間帯を調整する時間帯調整ステップを備えることを特徴とする請求項８又は９記載の放送受信装置の制御方法。
【請求項１１】
放送波を受信する受信手段を有する放送受信装置の制御プログラムにおいて、前記受信した放送波から番組に関する情報を取得する取得モジュールと、前記取得した番組に関する情報に基づいて各チャンネルで放送される番組を示す電子番組表を生成する電子番組表生成モジュールと、前記生成された電子番組表を表示し、前記表示された電子番組表により任意の番組を登録する番組登録モジュールと、前記電子番組表において前記登録された番組に対応する時間帯を識別する登録時間識別モジュールとをコンピュータに実行させることを特徴とする放送受信装置の制御プログラム。
【発明の詳細な説明】
【技術分野】
【０００１】
本発明は、放送受信装置及びその制御方法、並びに制御プログラムに関し、特に、デジタル方式のテレビジョン受像機等において、映像や音声と共に受信した番組情報を表示して番組の選局や視聴予約を行うことのできる電子番組表に対応する放送受信装置及びその制御方法、並びに制御プログラムに関する。 
【背景技術】
【０００２】
近年、テレビジョン放送の方式は、従来のアナログ方式からデジタル方式のデジタルテレビジョン放送への移行が開始され、テレビジョン放送は、デジタル化という新たな技術革新を契機に、情報通信メディアとして飛躍的な発展を遂げようとしている。既に国内では、衛星放送において、PerfectTVやDirectTV等、一部でデジタル化が実現されている。
【０００３】
デジタルテレビジョン放送では、映像や音声の放送に加え、各種のデータ放送を付加した統合型の放送サービスが可能である上、アナログ方式に比べて多チャンネル化が可能であり、上述のデジタル衛星放送では１００チャンネル以上の放送が行われている。
【０００４】
一方、多チャンネル化に伴い、膨大な数の番組の中から所望の番組を選択する操作も複雑となるので、番組の選択を支援する番組情報を番組提供者側から視聴者に提供する番組情報提供サービスが提案されており、上述のデジタル衛星放送では既に実施されている。
【０００５】
上記番組情報は、放送局側が各番組に関する番組情報を番組に付随して放送し、テレビジョン受像機側で受信した番組情報を元に電子番組表（ＥＰＧ：Electronic Program Guide）を作成して表示することにより実現される。上記番組情報には番組識別番号、番組名、放送チャンネル、番組のジャンル、出演者等番組内容の説明、放送開始日時、放送終了日時などの情報が含まれる。
【０００６】
視聴者に、電子番組表により放送予定の番組の内容及び放送予定時刻を知らせることができると共に、番組毎に視聴予約を行うことができる。また、電子番組表の視聴予約した番組に対して記号の付加や番組欄の着色を行うことにより、視聴者は視聴予約されている番組を認識することができる。
【０００７】
しかしながら、上記番組情報提供サービスでは、テレビジョン受像機の限られた表示領域に全てのチャンネルの電子番組表を一度に表示することはできないので、電子番組表の視聴予約しているチャンネルの欄がテレビジョン受像機に表示されていないときは、視聴者は視聴予約されていることを認識することができない。
【０００８】
そのため、番組欄とは別に視聴予約されている番組の一覧を示す欄を設けることにより、電子番組表の視聴予約しているチャンネルの欄がテレビジョン受像機に表示されていなくても、視聴者に予約状況を知らせることができるテレビジョン受像機が開示されている（例えば、特許文献１，２）。
【特許文献１】特開平１１−１９６３４３号公報
【特許文献２】特開平１１−２８４９２９号公報
【発明の開示】
【発明が解決しようとする課題】
【０００９】
しかしながら、上記テレビジョン受像機では、視聴者に予約状況を知らせるために、視聴予約されている番組の一覧を示す欄を番組欄とは別に設けなければならないので、電子番組表を表示する処理が煩雑になる上、多くの表示スペースを要する。
【００１０】
本発明の目的は、番組欄とは別に予約状況を示す欄を別途設けることなく、視聴者に予約状況を知らせることができる放送受信装置及びその制御方法、並びに制御プログラムを提供することにある。
【課題を解決するための手段】
【００１１】
上述の目的を達成するために、請求項１記載の放送受信装置は、放送波を受信する受信手段と、前記受信した放送波から番組に関する情報を取得する取得手段と、前記取得した番組に関する情報に基づいて各チャンネルで放送される番組を示す電子番組表を生成する電子番組表生成手段と、前記生成された電子番組表を表示する表示手段と、前記表示された電子番組表により任意の番組を登録する番組登録手段と、前記電子番組表において前記登録された番組に対応する時間帯を標識する登録時間帯標識手段とを備えることを特徴とする。
【００１２】
請求項２記載の放送受信装置は、請求項１記載の放送受信装置において、前記電子番組表において前記登録された番組を標識する登録番組標識手段を備えることを特徴とする。
【００１３】
請求項３記載の放送受信装置は、請求項１又は２記載の放送受信装置において、前記電子番組表により前記各チャンネルのうちの１つのチャンネルの任意の時間帯を登録する時間帯登録手段とを備えることを特徴とする。
【００１４】
請求項４記載の放送受信装置は、請求項３記載の放送受信装置いおいて、前記電子番組表において前記登録されたチャンネルの前記登録された時間帯を示す領域を標識する領域標識手段を備えることを特徴とする。
【００１５】
請求項５記載の放送受信装置は、請求項３又は４記載の放送受信装置において、前記選択された時間帯を調整する時間帯調整手段を備えることを特徴とする。
【００１６】
請求項６記載の放送受信装置の制御方法は、放送波を受信する受信手段を有する放送受信装置の制御方法において、前記受信した放送波から番組に関する情報を取得する取得ステップと、前記取得した番組に関する情報に基づいて各チャンネルで放送される番組を示す電子番組表を生成する電子番組表生成ステップと、前記生成された電子番組表を表示し、前記表示された電子番組表により任意の番組を登録する番組登録ステップと、前記電子番組表において前記登録された番組に対応する時間帯を識別する登録時間識別ステップとを備えることを特徴とする放送受信装置の制御方法。
【００１７】
請求項７記載の放送受信装置の制御方法は、請求項６記載の放送受信装置の制御方法において、前記電子番組表において前記登録された番組を識別する登録番組識別ステップを備えることを特徴とする。
【００１８】
請求項８記載の放送受信装置の制御方法は、請求項６又は７記載の放送受信装置の制御方法において、前記電子番組表により前記各チャンネルのうちの１つのチャンネルの任意の時間帯を登録する時間帯登録ステップとを備えることを特徴とする。
【００１９】
請求項９記載の放送受信装置の制御方法は、請求項８記載の放送受信装置の制御方法において、前記電子番組表において前記登録されたチャンネルの前記登録された時間帯を示す領域を識別する領域識別ステップを備えることを特徴とする。
【００２０】
請求項１０記載の放送受信装置の制御方法は、請求項８又は９記載の放送受信装置の制御方法において、前記選択された時間帯を調整する時間帯調整ステップを備えることを特徴とする。
【００２１】
請求項１１記載の放送受信装置の制御プログラムは、放送波を受信する受信手段を有する放送受信装置の制御プログラムにおいて、前記受信した放送波から番組に関する情報を取得する取得モジュールと、前記取得した番組に関する情報に基づいて各チャンネルで放送される番組を示す電子番組表を生成する電子番組表生成モジュールと、前記生成された電子番組表を表示し、前記表示された電子番組表により任意の番組を登録する番組登録モジュールと、前記電子番組表において前記登録された番組に対応する時間帯を識別する登録時間識別モジュールとをコンピュータに実行させることを特徴とする。
【発明の効果】
【００２２】
請求項１記載の放送受信装置、請求項６記載の放送受信装置の制御方法、請求項１１記載の放送受信装置の制御プログラムによれば、電子番組表において登録された番組に対応する時間帯を標識するので、番組欄とは別に予約状況を示す欄を別途設けることなく、視聴者に予約状況を知らせることができる。
【００２３】
請求項２記載の放送受信装置、請求項７記載の放送受信装置の制御方法によれば、電子番組表において登録された番組を標識するので、視聴者に予約登録された番組を知らせることができる。
【００２４】
請求項３記載の放送受信装置、請求項８記載の放送受信装置の制御方法によれば、電子番組表により各チャンネルのうちの１つのチャンネルの任意の時間帯を登録するので、任意の時間帯の視聴予約を行うことができる。
【００２５】
請求項４記載の放送受信装置、請求項９記載の放送受信装置の制御方法によれば、電子番組表において登録されたチャンネルの登録された時間帯を示す領域を標識するので、視聴者に予約登録されたチャンネル及び時間帯を知らせることができる。
【００２６】
請求項５記載の放送受信装置、請求項１０記載の放送受信装置の制御方法によれば、選択された時間帯を調整するので、カーソルによる曖昧な予約時間の設定を調整することができる。
【発明を実施するための最良の形態】
【００２７】
以下、本発明の実施の形態を図面を参照しながら説明する。
【００２８】
図１は、本発明の実施の形態に係る放送受信装置を有するデジタル衛星放送システムの構成を示すブロック図である。
【００２９】
図１において、デジタル衛星放送システム１は、映像、音声及び各種データの放送素材を変調して放送波を放送する放送装置１０と、放送装置１０により放送される放送波を受信して再生する放送受信装置２０と、放送装置１０により放送される放送波を広い範囲で受信可能とするための宇宙空間に静止する衛星３０とから構成される。
【００３０】
放送装置１０は、音声に関する素材を記憶しておく音声素材記憶部１０１と、映像に関する素材を記憶しておく映像素材記憶部１０２と、番組情報を記憶しておく番組情報記憶部１０３と、その他の各種データ情報を記憶しておく各種データ記憶部１０５と、音声素材記憶部１０１から読出した音声に関する素材を符号化する音声符号化部１０７と、映像素材記憶部１０２から読出した映像に関する素材を符号化する映像符号化部１０８と、番組情報記憶部１０３から読出した番組情報と、各種データ記憶部１０５から読出した各種データ情報とを１つのデータとして合成する合成器１０６と、合成されたデータを符号化するデータ符号化処理部１０９とを備える。
【００３１】
音声符号化部１０７の符号化手段としては、Dolby社の開発したマルチチャンネル音声システムに対応した高効率符号化方式であるＡＣ−３（Audio Coding-3）方式や、国際標準であるＭＰＥＧ２オーディオ規格としてのＡＡＣ（Advanced Audio Coding）方式などが用いられ、映像符号化部１０８の符号化手段としては、動画像圧縮技術（高効率符号化方式）の国際標準であるＭＰＥＧ２（Moving Picture ExpertステップＳ Group phase 2）などが用いられ、データ符号化処理部１０９の符号化手段としては、放送受信装置２０により元の情報を損なわずに復号可能なランレングス符号化方式などの可逆変換手法が用いられる。
【００３２】
放送装置１０は、さらに、音声符号化部１０７、映像符号化部１０８、及びデータ符号化部１０９で符号化処理された各データを一本の信号の流れとして多重化する多重化部１１０と、多重化部１１０にて多重化された信号に、電波妨害などにより受信データに欠損やデータ化けが生じたときに、放送受信装置２０側での受信データの誤りの検出や、誤った個所のデータ修復を助けるための誤り訂正情報を付加する誤り訂正情報付加部１１１と、訂正情報を付加した信号を変調処理する変調部１１２とを備える。
【００３３】
放送装置１０に接続された送信用アンテナ１１３は、変調処理された信号を衛星３０に向けて送信する。
【００３４】
変調部１１２の変調手段としては、限られた周波数帯域幅で多くのデータを送る必要があるため、多値変調方式としての１６ＱＡＭ（Quadrature Amplitude Modulation）や複数の搬送波を用いたマルチキャリア方式としてのＯＦＤＭ（Orthogonal Frequency Division Multiplexing）などのデジタル変調手段が用いられる。
【００３５】
放送受信装置２０に接続された受信用アンテナ２０１（受信手段）は、放送装置１０から衛星３０を介して送信された放送波を受信する。
【００３６】
放送受信装置２０は、受信用アンテナ２０１が受信した放送波を変調処理前のデジタル信号に復元する復調部２０２と、誤り訂正情報付加部１１１にて付加された誤り訂正情報を基に、復元されたデジタル信号にデータの欠損やデータ化け等のデータ異常が発生しているか否かをチェックする誤り訂正部２０３とを備える。
【００３７】
誤り訂正部２０３は、何らかのデータ異常が発生しているときは、放送装置１０の誤り訂正情報付加部１１１にて付加された情報を基に、正しいデータへの修復を行う。
【００３８】
また、放送受信装置２０は、誤り訂正部２０３にてチェックされた信号を音声、映像、及び番組情報を含む各種データの放送素材毎に分離する多重分離部２０４（取得手段）と、多重分離部２０４にて分離された各放送素材のうち音声情報を符号化される前の音声情報に変換する音声復号化部２０５と、分離された各放送素材のうち映像情報を符号化される前の映像情報に変換する映像復号化部２０６と、分離された各放送素材のうち番組情報を含む各種データ情報を符号化される前のデータ情報に変換するデータ復号化部２０８と、変換されたデータ情報から電子番組表などの画像データを生成するＣＰＵ２０９（制御部）（電子番組表生成手段）と、映像復号化部２０６により変換された映像情報、及びＣＰＵ２０９により生成された画像データを合成処理する映像信号処理部２０７と、ＣＰＵ２０９からの指示に従い、各種入出力装置の制御を行うＩ／Ｏコントローラ２１０とを備える。
【００３９】
放送受信装置２０には、音声復号化部２０５で変換された音声情報を可聴音として再生する外部に接続されたスピーカ２１８と、映像信号処理部２０７で合成処理されたデータを出力、再生する外部に接続された表示装置２１９（表示手段）とが接続される。
【００４０】
ＣＰＵ２０９により生成された画像データは、映像信号処理部２０７にて映像情報と合成処理された後、表示装置２１９へ出力されて再生される。また、ＣＰＵ２０９は、Ｉ／Ｏコントローラコントローラ２１０を介して接続される各種入出力装置からの情報を画像データとして生成し、Ｉ／Ｏコントローラ２１０を介して各種入出力装置の制御を行う。
【００４１】
放送受信装置２０は、さらに、モデム２１１と、ハードディスク（ＨＤＤ）２１２と、ユーザにより操作されるリモコン２１５からの赤外線を受光してその赤外線に含まれるデータを抽出する赤外線受光部２１４と、ユーザの認証情報が含まれているＩＣカード２１７を接続するためのカードスロット２１６とを備え、これらはＩ／Ｏコントローラ２１０に接続され、Ｉ／Ｏコントローラ２１０により制御される。
【００４２】
Ｉ／Ｏコントローラ２１０の有するＩＥＥＥ１３９４高速シリアルデジタルインターフェースには、デジタルビデオ機器やオーディオ機器などの各種ＡＶ（Audio-Visual）機器２１３が接続される。
【００４３】
データの出力及び再生は、外部に接続された表示装置２１９により行われるとしたが、放送受信装置２０の有する表示部で行われてもよい。
【００４４】
図２は、図１における映像信号処理部２０７の内部構成を示すブロック図である。
【００４５】
図２において、映像信号処理部２０７は、ＣＰＵ２０９により生成された画像データを静止画の情報として記憶しておく静止画情報プレーン部２２１と、映像復号化部２０６により変換された映像情報、及び静止画情報プレーン部２２１から出力される静止画情報のどちらの情報を出力するかを選択する出力選択情報を記憶しておく動画静止画切り替えプレーン部２２２と、動画静止画切り替えプレーン部２２２の情報に基づいて、映像復号化部２０６により変換された映像情報、及び静止画情報プレーン部２２１から出力される静止画情報のうち、いずれか一方の情報を選択して、出力する動画静止画切り替えスイッチ２２４とを備える。
【００４６】
動画静止画切り替えプレーン部２２２が記憶する出力選択情報は、例えば、二億の情報から成り、映像復号化部２０６により変換された映像情報を出力することを示す「１」、及び静止画情報プレーン部２２１から出力される静止画情報を出力することを示す「０」から構成される。また、これらの出力選択情報は、ＣＰＵ２０９により設定することができる。
【００４７】
また、映像信号処理部２０７は、表示画面上で電子番組表などの情報を選択するためにＣＰＵ２０９が生成するカーソルの形状及び位置の情報を記憶しておくカーソルプレーン部２２３と、カーソルプレーン部２２３の情報、及び動画静止画切り替えスイッチ２２４からの出力を合成して表示装置２１９に出力するカーソル合成部２２５とを備える。
【００４８】
静止画情報プレーン部２２１、動画静止画切り替えプレーン部２２２、及びカーソルプレーン部２２３は、外部に接続された表示装置２１９の表示領域と同じ情報領域を有する。この情報領域は、放送受信装置２０の有する表示部の表示領域であってもよい。
【００４９】
カーソルの表示位置は、後述されるリモコン２１５を操作することにより変更される。カーソルの形状及び位置の情報は、表示装置２１９の表示領域と同じ情報領域を持つカーソルプレーン部２２３に展開されているとしたが、カーソルの形状のみをカーソルプレーン部２２３に記憶しておき、ＣＰＵ２０９から指定される位置に従ってカーソルの形状を動画静止画切り替えスイッチ２２４から出力される映像情報に合成して出力してもよい。
【００５０】
図３は、図１におけるリモコン２１５の一例を示す図である。
【００５１】
図３において、リモコン２１５は、放送受信装置２０又は表示装置２１９の電源を入れるための電源ボタン２３１と、電子番組表の表示や、表示する映像の画質調整を行うためのメニューを表示するためのメニューボタン２３２と、「０」から「９」までの一桁の数字を入力するためのテンキーボタン群２３３と、二桁の数字入力を指定するための二桁入力ボタン２３４と、三桁の数字入力を指定するための三桁入力ボタン２３５と、カーソルで選択した情報や入力した数字を決定するための決定ボタン２３６と、電子番組表やメニューを表示している画面における選択項目の移動や、音量や表示しているチャンネル番号の変更を行うための十字ボタン２３７と、カーソルを３６０度任意の方向に移動するためのサークルボタン２３８とを備える。
【００５２】
以上の構成により、放送装置１０から送信される各種データに関する情報は、多重分離部２０４にて分離された後、データ復号化部２０８にて符号化される前のデータ情報に変換され、ＣＰＵ２０９は、データ情報の中から電子番組表を生成するのに必要な番組情報を抽出し、抽出した番組情報を基に後述する図４の電子番組表４０を生成して、表示装置２１９に表示する。
【００５３】
電子番組表４０は、図４に示すように、Ｘ軸に各チャンネルを示し、Ｙ軸に時間を示し、視聴者に、各チャンネルで放送される番組を電子番組表４０により知らせることができる。
【００５４】
図５は、図１におけるＣＰＵ２０９によって実行される番組予約処理のフローチャートである。
【００５５】
図５において、視聴者が電子番組表４０から番組の視聴予約を実行すると、ＣＰＵ２０９は、予約しようとしている番組の開始時間が、現在時刻より後であるか否かを判別し（ステップＳ１０１）、開始時間が現在時刻より後でないとき、即ち現在時刻が開始時間を過ぎているときは、本処理を終了し、開始時間が現在時刻より後であるときは、予約登録を行う（ステップＳ１０２）（番組登録手段）。
【００５６】
ステップＳ１０２の予約登録は、予約すべき番組の開始時間やチャンネル番号等の情報をＣＰＵ２０９内部の記憶領域に一時的に記憶すると共に、電子番組表４０の予約登録された番組（予約番組）に対し予約登録された事を示す記号を付与することにより行う（登録番組標識手段）。
【００５７】
次いで、表示されている電子番組表４０において、予約番組がある時間帯を示すために、予約番組の時間帯を全てのチャンネルに渡って着色する（ステップＳ１０３）（登録時間帯標識手段）。
【００５８】
例えば、図４において、チャンネル番号ＣＨ１０２の番組２２が予約登録されたときは、図６に示すように、番組２２に対し予約登録された事を示す記号（ここでは星印）が付与され、さらに、番組２２放送予定時間である１９：００から２０：３０までの時間帯が、電子番組表４０中の全てのチャンネルに渡って着色される。
【００５９】
図５に戻り、ステップＳ１０４において、ＣＰＵ２０９は、予約番組の開始時間を監視し、開始時間が間近であるときは（ステップＳ１０５でＹＥＳ）、現在表示装置２１９で再生している放送のチャンネル番号が、予約番組のチャンネル番号と一致、即ち予約番組のチャンネルを再生しているか否かを判別し（ステップＳ１０６）、予約番組のチャンネルを再生しているときは、ステップＳ１０２で行った予約登録を抹消した（ステップＳ１１２）後、ステップＳ１０３で行った着色を消去して（ステップＳ１１３）、本処理を終了する。
【００６０】
ステップＳ１０６の判別の結果、予約番組のチャンネルを再生していないときは、予約番組の開始時間が近いことを知らせるメッセージを表示画面上に表示し（ステップＳ１０７）、同時に、メッセージを表示してからの時間の計測を開始する（ステップＳ１０８）。
【００６１】
例えば、チャンネル番号ＣＨ１０２の番組２２が予約登録され、予約番組の開始時間が間近であるときは、図７に示すように、表示装置２１９に、「ＣＨ１０２で予約がされています」というメッセージ５１が表示される。
【００６２】
図５に戻り、再生する放送のチャンネル番号が視聴者により変更された否か（ステップＳ１０９）、及びステップＳ１０７でメッセージを表示してから所定の時間が経過したか否か（ステップＳ１１０）を夫々判別し、再生する放送のチャンネル番号が視聴者により変更されるか（ステップＳ１０９でＹＥＳ）、又はメッセージを表示してから所定の時間が経過した（ステップＳ１１０でＹＥＳ）ときは、ステップＳ１０７で表示したメッセージを消去し（ステップＳ１１１）、ステップＳ１１２以降の処理を実行して、本処理を終了する。
【００６３】
図５の処理によれば、表示されている電子番組表４０において、予約番組がある時間帯を示すために、予約番組の時間帯を全てのチャンネルに渡って着色する（ステップＳ１０３）ので、図８に示すように、電子番組表４０の予約番組のあるチャンネルの欄が表示装置２１９に表示されていなくても、視聴者に着色された時間帯に予約番組がある事を知らせることができ、もって番組欄とは別に予約状況を示す欄を別途設けることなく、視聴者に予約状況を知らせることができる。
【００６４】
以下、本発明の第２の実施の形態を図面を参照しながら説明する。
【００６５】
本発明の第１の実施の形態では、番組単位で視聴予約を行う（ステップＳ１０２）ので、例えば、図６の電子番組表４０にいて、チャンネル番号ＣＨ１０２の番組２２の視聴予約を行った後に、チャンネル番号ＣＨ１０３の番組３２の後半部分の視聴予約を行うことができないので、本実施の形態は、図９に示すように、電子番組表４０の各チャンネルに視聴予約を行う時間帯を設定するための時間帯設定領域４１を設けることにより、番組単位での視聴予約以外に、任意の時間帯の視聴予約が行える。
【００６６】
図９において、ＣＰＵ２０９により生成される電子番組表４０は、視聴予約を行う時間帯を設定すると共に各チャンネルに設けられた時間帯設定領域４１と、電子番組表４０上の番組や時間帯設定領域４１を選択するためのカーソル４２とを表示している。
【００６７】
本実施の形態では、例えば、図１０に示すように、チャンネル番号ＣＨ１０２の番組２２が視聴予約された状態で、チャンネル番号ＣＨ１０４の番組４３の２０：３０から２２：００までの時間帯の視聴予約を時間帯設定領域４１によって行うことができる。
【００６８】
図１１は、図１におけるＣＰＵ２０９によって実行される番組予約処理のフローチャートである。
【００６９】
本処理では、時間帯設定領域４１上で、視聴予約開始時間をリモコン２１５の十字ボタン２３７の上ボタンを使用して設定し、視聴予約終了時間を十字ボタン２３７の下ボタンを使用して設定するものとする。
【００７０】
図１１において、まず、電子番組表４０を表示している画面上で、視聴予約を行う時間帯設定領域４１上でリモコン２１５の十字ボタン２３７の上ボタンが押下されたときは（ステップＳ２０１でＹＥＳ）、予約開始時間が指定されて、時間計測を開始し（ステップＳ２０２）、リングボタン２３８でカーソルが移動されたか、又は十字ボタン２３７の下ボタンが押下されたかどうかを判別し（ステップＳ２０３）、カーソルが移動されず、且つ十字ボタン２３７の下ボタンが押下されないときは、時間計測を開始してから所定の時間が経過したか否かを判別し（ステップＳ２０４）、所定の時間が経過していないときは、ステップＳ２０３に戻り、所定の時間が経過したときは、時間帯設定領域４１が着色されていれば着色を元に戻し（ステップＳ２０５）、本処理を終了する。
【００７１】
ステップＳ２０３の判別の結果、カーソルが移動されたか、又は十字ボタン２３７の下ボタンが押下されたときは、カーソルが移動されたか否かを判別し（ステップＳ２０６）、カーソルが移動されたときは、ステップＳ２０１で十字ボタン２３７の上ボタンの押下により指定された視聴予約の開始時間から、カーソルが移動された位置までの間において時間帯設定領域４１を着色し（ステップＳ２０７）、ステップＳ２０２以降の処理を繰り返す。
【００７２】
ステップＳ２０１〜ステップＳ２０７では、例えば、ステップＳ２０１でチャンネル番号ＣＨ１０４の２０：３０の時間で十字ボタン２３７の上ボタンの押下により予約開始時間が設定された後、ステップＳ２０６でカーソル４２が２２：００近辺まで移動すると、図１２に示すように、電子番組表４０のチャンネル番号ＣＨ１０４の時間帯設定領域４１が２０：３０から２２：００までの時間帯で着色される。ステップＳ２０１で予約開始時間を十字ボタン２３７の上ボタンで設定するときは、カーソル４２は時間帯設定領域４１の上に位置する必要があるが、その後はカーソル４２は時間帯設定領域４１の上に位置していなくてもよく、設定された予約開始時間から、移動したカーソル４２の位置する時間までの範囲で、時間帯設定領域４１が着色される。
【００７３】
図１１に戻り、ステップＳ２０６の判別の結果、カーソルが移動されなかったとき、即ち十字ボタン２３７の下ボタンが押下されたときは、予約終了時間が指定され、表示装置２１９に図１３の視聴予約確認画面６０を表示する（ステップＳ２０８）。
【００７４】
視聴予約確認画面６０は、図１３に示すように、チャンネル番号、予約開始時間、及び予約終了時間を含む視聴予約内容６１と、視聴予約内容６１を確定するためのＯＫボタン６２と、視聴予約内容６１を取消すためのキャンセルボタン６３とを有する。ＯＫボタン６２及びキャンセルボタン６３は、カーソル４２を押下すべきボタン上に移動し、決定ボタン２３６の押下によって押下することができる。
【００７５】
図１１に戻り、ステップＳ２０９で、視聴予約確認画面６０で、ＯＫボタン６２及びキャンセルボタン６３のいずれかが押下されると、ＯＫボタン６２が押下されたか否かを判別し（ステップＳ２１０）、ＯＫボタン６２が押下されなかったとき、即ちキャンセルボタン６３が押下されたときは、時間帯設定領域４１の着色を元に戻して（ステップＳ２０５）、本処理を終了する。
【００７６】
ステップＳ２１０の判別の結果、ＯＫボタン６２が押下されたときは、予約登録を行った（ステップＳ２１１）（時間帯登録手段）後、後述する図１４の電子番組表表示処理を実行して（ステップＳ２１２）、電子番組表４０に予約登録された時間帯があることを示す表示を行い、本処理を終了する。ステップＳ２１１の予約登録は、視聴予約確認画面６０に表示している内容をＣＰＵ２０９内部の記憶領域に一時的に記憶することにより行う。
【００７７】
ステップＳ２１２で電子番組表表示処理を実行した後は、図５のステップＳ１０４以降の処理と同様の処理により、視聴予約された番組が再生される。
【００７８】
図１１の処理によれば、電子番組表４０に時間帯設定領域４１を設け、視聴予約を行う時間帯設定領域４１上で十字ボタン２３７の上ボタンが押下されたときに（ステップＳ２０１でＹＥＳ）、予約開始時間が指定され（ステップＳ２０２）、十字ボタン２３７の下ボタンが押下された（ステップＳ２０６でＮＯ）ときは、予約終了時間が指定される（ステップＳ２０８）ので、任意の時間帯の視聴予約を行うことができる。
【００７９】
図１４は、図１１のステップＳ２１２の電子番組表表示処理を示すフローチャートである。
【００８０】
図１４において、まず、図１３のステップＳ２１１で予約登録された予約開始時間が、電子番組表４０の表示されている視聴予約されたチャンネルの番組の開始時間と同じであるか否かを判別し（ステップＳ３０１）、番組の開始時間と同じでないときは、視聴予約されたチャンネルの予約開始時間に境界線を表示した（ステップＳ３０２）上で、番組の開始時間と同じであるときは、ステップＳ３０２の処理を行うことなく、ステップＳ３０３に進む。
【００８１】
次いで、図１３のステップＳ２１１で予約登録された予約終了時間が、電子番組表４０の表示されている視聴予約されたチャンネルの番組の終了時間と同じであるか否かを判別し（ステップＳ３０３）、番組の終了時間と同じでないときは、視聴予約されたチャンネルの予約終了時間に境界線を表示した（ステップＳ３０４）上で、番組の終了時間と同じであるときは、ステップＳ３０４の処理を行うことなく、ステップＳ３０５に進む。
【００８２】
次いで、予約登録された時間帯に予約登録された事を示す記号を付与し（ステップＳ３０５）（領域標識手段）、予約番組がある時間帯を示すために、予約番組の時間帯を全てのチャンネルに渡って着色し（ステップＳ３０６）、本処理を終了する。
【００８３】
例えば、図１０において、チャンネル番号ＣＨ１０４の２０：３０から２２：００までの時間帯を予約登録したときは、図１５に示すように、番組４３の２０：３０の時間と番組４４の２２：００の時間には、図１４のステップＳ３０２，ステップＳ３０４で番組毎の区切り線とは別の境界線（ここでは点線）が表示され、ステップＳ３０５で番組４４の２２：００の境界線の上に、予約登録された事を示す記号（ここでは星印）が付与され、さらに、ステップＳ３０６で予約登録された２０：３０から２２：００までの時間帯で、電子番組表４０中の全てのチャンネルに渡って着色されている。
【００８４】
図１４の処理によれば、視聴予約されたチャンネルの予約開始時間、予約終了時間に夫々境界線を表示し（ステップＳ３０２，ステップＳ３０４）、予約登録された時間帯に予約登録された事を示す記号を付与し（ステップＳ３０５）、予約番組の時間帯を全てのチャンネルに渡って着色する（ステップＳ３０６）ので、視聴者に予約登録された時間帯及びチャンネルを知らせることができる。
【００８５】
以下、本発明の第３の実施の形態を図面を参照しながら説明する。
【００８６】
前述の第２の実施の形態は、視聴予約を行う時間帯をカーソルを用いて指定するので、指定した時間帯が曖昧であるので、本実施の形態では、電子番組表４０に設けられた時間帯設定領域４１にて視聴予約を行う際に、カーソルを用いて視聴予約を行う時間帯を指定した後で、視聴予約する時間帯の開始時間と終了時間を調整する。
【００８７】
図１６は、図１におけるＣＰＵ２０９によって実行される番組予約処理のフローチャートである。
【００８８】
図１６において、図１１のステップと同一のステップには同一符号を付し、その説明を省略する。
【００８９】
図１６において、ステップＳ２０６の判別の結果、カーソルが移動されなかったとき、即ち十字ボタン２３７の下ボタンが押下されたときは、予約終了時間が指定され、表示装置２１９に図１７の視聴予約確認画面６０を表示する（ステップＳ４０１）。
【００９０】
視聴予約確認画面６０は、図１７に示すように、チャンネル番号、予約開始時間、及び予約終了時間を含む視聴予約内容６１と、視聴予約内容６１を確定するためのＯＫボタン６２と、視聴予約内容６１を取消すためのキャンセルボタン６３と、予約開始時間を選択するための開始時間選択領域６４と、予約終了時間を選択するための終了時間選択領域６４とを有する。
【００９１】
図１６に戻り、ステップＳ４０２で、視聴予約確認画面６０で、開始時間選択領域６４及び終了時間選択領域６４のいずれかが押下されたか否かを判別し、開始時間選択領域６４及び終了時間選択領域６４のいずれかが押下されたときは、後述する図１８の予約時間変更処理を実行して（ステップＳ４０３）、カーソルによる曖昧な予約時間の設定を調整し、開始時間選択領域６４及び終了時間選択領域６４が共に押下されないときは、ステップＳ４０３の予約時間変更処理を実行することなく、ステップＳ４０４に進む。
【００９２】
次いで、ＯＫボタン６２及びキャンセルボタン６３のいずれかが押下されたか否かを判別し（ステップＳ４０４）、ＯＫボタン６２及びキャンセルボタン６３が共に押下されないときは、ステップＳ４０２に戻り、ＯＫボタン６２及びキャンセルボタン６３のいずれかが押下された押下されたときは、ステップＳ２１０以降の処理を実行し、本処理を終了する。
【００９３】
図１６の処理によれば、開始時間選択領域６４及び終了時間選択領域６４のいずれかが押下されたときは（ステップＳ４０２でＹＥＳ）、後述する図１８の予約時間変更処理を行う（ステップＳ４０３）ので、カーソルによる曖昧な予約時間の設定を調整することができる。
【００９４】
図１８は、図１６のステップＳ４０３の予約時間変更処理のフローチャートである。
【００９５】
図１８において、図１６のステップＳ４０２で、開始時間選択領域６４及び終了時間選択領域６４のいずれかが押下されることにより、予約開始時間又は予約終了時間を十字ボタン２３７の上下ボタンにより進めたり遅らせたりする調整できるようになり、視聴者が十字ボタン２３７の上下ボタンにより予約開始時間又は予約終了時間の調整を行うと（ステップＳ５０１）、調整後の予約開始時間から予約終了時間までの時間帯が、既に予約登録されている時間帯に重なるか否かを判断し（ステップＳ５０２）、既に予約登録されている時間帯に重なるときは、その時間調整を無効とした（ステップＳ５０３）上で、ステップＳ５０１に戻り、既に予約登録されている時間帯に重ならず、決定ボタン２３６が押下されると（ステップＳ５０４でＹＥＳ）、調整後の時間は有効となり、予約時間が変更され（ステップＳ５０５）、本処理を終了する。
【００９６】
図１８の処理によれば、視聴者が十字ボタン２３７の上下ボタンにより予約開始時間又は予約終了時間の調整を行い（ステップＳ５０１）、調整後の予約開始時間から予約終了時間までの時間帯が、既に予約登録されている時間帯に重ならず、決定ボタン２３６が押下されると（ステップＳ５０４でＹＥＳ）、予約時間が変更される（ステップＳ５０５）（時間帯調整手段）ので、カーソルによる曖昧な予約時間の設定を調整することができる。
【００９７】
本発明は、上述した実施の形態の機能を実現するソフトウェアのプログラム（図５、図１１、図１４、図１６、及び図１８のフローチャート）をコンピュータ又はＣＰＵ２０９に供給し、そのコンピュータ又はＣＰＵ２０９が該供給されたプログラムを読出して実行することによって、達成することができる。
【００９８】
この場合、上記プログラムは、該プログラムを記憶した記憶媒体から直接供給されるか、又はインターネット、商用ネットワーク、若しくはローカルエリアネットワーク等に接続される不図示の他のコンピュータやデータベース等からダウンロードすることにより供給される。
【００９９】
上記プログラムの形態は、オブジェクトコード、インタプリタにより実行されるプログラムコード、ＯＳ（オペレーティングシステム）に供給されるスクリプトデータ等の形態から成ってもよい。
【０１００】
また、本発明は、上述した実施の形態の機能を実現するソフトウェアのプログラムを記憶した記憶媒体をコンピュータ又はＣＰＵ２０９に供給し、そのコンピュータ又はＣＰＵ２０９が記憶媒体に記憶されたプログラムを読出して実行することによっても、達成することができる。
【０１０１】
この場合、格納媒体から読出されたプログラムコード自体が上述した各実施の形態の機能を実現すると共に、そのプログラムコードを記憶した記憶媒体は本発明を構成する。
【０１０２】
プログラムコードを記憶する記憶媒体としては、例えば、ＲＯＭ、ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ+ＲＷ、磁気テープ、不揮発性のメモリカード等がある。
【０１０３】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【図面の簡単な説明】
【０１０４】
【図１】本発明の実施の形態に係る放送受信装置を有するデジタル衛星放送システムの構成を示すブロック図である。
【図２】図１における映像信号処理部２０７の内部構成を示すブロック図である。
【図３】図１におけるリモコン２１５の一例を示す図である。
【図４】図１における表示装置２１９に表示される電子番組表４０の一例を示す図である。
【図５】図１におけるＣＰＵ２０９によって実行される番組予約処理のフローチャートである。
【図６】図１における表示装置２１９に表示される電子番組表４０の一例を示す図である。
【図７】図５のステップＳ１０８で表示されるメッセージ５１の一例を示す図である。
【図８】図１における表示装置２１９に表示される電子番組表４０の一例を示す図である。
【図９】図１における表示装置２１９に表示される電子番組表４０の一例を示す図である。
【図１０】図１における表示装置２１９に表示される電子番組表４０の一例を示す図である。
【図１１】図１におけるＣＰＵ２０９によって実行される番組予約処理のフローチャートである。
【図１２】図１における表示装置２１９に表示される電子番組表４０の一例を示す図である。
【図１３】図１１のステップＳ２０８で表示される視聴予約確認画面６０の一例を示す図である。
【図１４】図１１のステップＳ２１２の電子番組表表示処理を示すフローチャートである。
【図１５】図１における表示装置２１９に表示される電子番組表４０の一例を示す図である。
【図１６】図１におけるＣＰＵ２０９によって実行される番組予約処理のフローチャートである。
【図１７】図１５のステップＳ４０１で表示される視聴予約確認画面６０の一例を示す図である。
【図１８】図１６のステップＳ４０３の予約時間変更処理のフローチャートである。
【符号の説明】
【０１０５】
１  デジタル衛星放送システム
２０  放送受信装置
４０  電子番組表
２０４  多重分離部
２０９  ＣＰＵ
２１９  表示装置
【図１】
2005117180.tif 000003
【図２】
2005117180.tif 000004
【図３】
2005117180.tif 000005
【図４】
2005117180.tif 000006
【図５】
2005117180.tif 000007
【図６】
2005117180.tif 000008
【図７】
2005117180.tif 000009
【図８】
2005117180.tif 000010
【図９】
2005117180.tif 000011
【図１０】
2005117180.tif 000012
【図１１】
2005117180.tif 000013
【図１２】
2005117180.tif 000014
【図１３】
2005117180.tif 000015
【図１４】
2005117180.tif 000016
【図１５】
2005117180.tif 000017
【図１６】
2005117180.tif 000018
【図１７】
2005117180.tif 000019
【図１８】
2005117180.tif 000020